(57)【要約】【課題】屋根板自体を強固に固定できるとともに、屋根裏への雨漏りを防止でき、電池モジュール保持部材および太陽電池モジュールを安定よく支持することができる、屋根への太陽電池モジュールの設置構造を提供する。【解決手段】屋根板押え兼用の電池モジュール支持架台１１は電池モジュール保持部材４を支持する天板１９と、この天板１９の左右両側縁から左右一対の各側板２０を折り下げて形成し、天板１９の左右方向中央部に内側凹溝２１を形成する。この電池モジュール支持架台１１は吊子９および屋根板１，１の左右の両立上り連結縁６に亘ってその上から覆い被せるとともに、電池モジュール支持架台１１の内側凹溝２１の溝底部２１ａを吊子９の架台受け段部１５に第２のビス３６で固定して、左右の各側板２０の下端に設けた屋根板押さえ部２０ａで屋根板１，１をこれの上方から押さえ付ける。【選択図】図１
2012102545.tif 000002
【特許請求の範囲】
【請求項１】
複数の金属製の屋根板(１)を瓦棒（２）を介して連結した瓦棒葺屋根（３）の瓦棒（２）の上に、複数の電池モジュール保持部材（４又は３８）を瓦棒（２）の長手方向に所定間隔置きに配備し、隣り合う電池モジュール保持部材（４，４又は３８，３８）どうし間で太陽電池モジュール（５）を支持するようにした屋根への太陽電池モジュールの設置構造において、
屋根板(１)には、その左右の各側縁を折り上げて左右の各立上り連結縁(６)を形成し、この立上り連結縁(６)の上端側に被係留部(７)を形成しており、
瓦棒（２）は、吊子(９)と、屋根板押え兼用の電池モジュール支持架台(１１)とを備えており、
吊子(９)は、野地板（１６）および母屋（１７）に第１のビス（１８）で固定されるベース部(１２)と、このベース部（１２）の左右両側縁から立ち上げた形の左右一対の側板（１３）とを有する断面溝形状に形成するとともに、左右の各側板（１３）の中間高さ部の内側に電池モジュール支持架台（１１）を受ける架台受け段部（１５）を形成し、左右の各側板（１３）の上端側には各側板（１３）の上端縁を外側下方へ向けて曲げた形の係留部（１４）を形成しており、
電池モジュール支持架台(１１)は、電池モジュール保持部材（４又は３８）を支持する天板(１９)と、この天板(１９)の左右両側縁から下方へ向けて曲げた形の左右一対の各側板(２０)とを備え、天板（１９）の左右方向中央部に断面Ｕ形状の内側凹溝（２１）を天板（１９）の長手方向に亘って形成し、左右の各側板(２０)の下端に屋根板押さえ部（２０ａ）を設けており、
吊子(９)の左右の各横外側部に左右の両屋根板（１）（１）の各立上り連結縁(６)を配置し、各立上り連結縁(６)の被係留部(７)を吊子(９)の左右の各係留部(１４)で上から受け止めるように構成しており、
電池モジュール支持架台(１１)は吊子(９)および左右の両立上り連結縁(６)に亘ってその上から覆い被せるとともに、電池モジュール支持架台（１１）の内側凹溝（２１）の溝底部（２１ａ）を吊子（９）の架台受け段部（１５）上に第２のビス（３６）で締め付け固定して、左右の各側板(２０)の下端に設けた屋根板押さえ部（２０ａ）で屋根板（１）（１）をこれの上方から押圧接当していることを特徴とする、屋根への太陽電池モジュールの設置構造。
【請求項２】
電池モジュール支持架台(１１)の天板（１９）と電池モジュール保持部材（４又は３８）との重合面間にシール板材(３２)を介在させている、請求項１記載の屋根への太陽電池モジュールの設置構造。
【請求項３】
電池モジュール保持部材（４又は３８）は電池モジュール支持架台(１１)に対し軒棟方向にスライド自在に取り付けている、請求項１又は２記載の屋根への太陽電池モジュールの設置構造。
【請求項４】
電池モジュール保持部材（４）は、電池モジュール支持架台(１１)に取り付けられる保持部材本体(２２)と、この保持部材本体(２２)に起立状に装着されたボルト(２３)と、このボルト(２３)に挿通され、太陽電池モジュール（５）の周枠（５ａ）の溝部（５ｂ）に嵌合する係止部（３３）を有する電池モジュール押え部材(２４)と、この電池モジュール押え部材(２４)から突出するボルト先端部(２３ａ)に螺合されたナット（２６）と、を備えている、請求項１ないし３のいずれか１項に記載の屋根への太陽電池モジュールの設置構造。
【請求項５】
電池モジュール保持部材（３８）は、電池モジュール支持架台(１１)に挟み付けられる一対の保持部材本体（４０）と、この一対の保持部材本体（４０）を互いに近づけるように締め付ける横向きボルト（４１）及びナット（４３）と、この横向きボルト（４１）の中間部に起立状に結合される立て向きボルト（４４）と、この立て向きボルト（４４）に挿通され、太陽電池モジュール（５）の周枠（５ａ）の溝部（５ｂ）に嵌合する係止部（３３）を有する電池モジュール押え部材（２４）と、この電池モジュール押え部材（２４）から突出する立て向きボルト先端部（４４ａ）に螺合されるナット（４６）と、を備えている、請求項１ないし３のいずれか１項に記載の屋根への太陽電池モジュールの設置構造。
【発明の詳細な説明】
【技術分野】
【０００１】
本発明は、屋根への太陽電池モジュールの設置構造に関する。
【背景技術】
【０００２】
従来、屋根上に太陽電池モジュールを設置する構造としては、例えば、図５に示すように、太陽電地モジュール支持部５１および固定部５２を備えた太陽電地モジュール固定部材５３を用意し、この太陽電地モジュール固定部材５３の固定部５２を屋根材５４の表面に載置し、該固定部５２をビス５５で屋根材５４に留め付け、太陽電地モジュール支持部５１によって太陽電地モジュール５６を屋根材５４上に設置固定するようにしたものがある（例えば、特許文献１参照。）。
【先行技術文献】
【特許文献】
【０００３】
【特許文献１】特開２００８−９５２８１号公報（図２）
【特許文献２】特許第３４４３０７５号公報
【特許文献３】特許第３９８４９８７号公報
【発明の概要】
【発明が解決しようとする課題】
【０００４】
しかしながら、太陽電地モジュール固定部材５３を屋根材５４の上にビス５５で留め付ける上記太陽電池モジュールの設置構造では、ビス５５を打ち込んだ屋根材５４の穴から屋根裏に雨漏りするトラブルがある。
【０００５】
本発明は、このような問題を解決するためになされたものであり、その目的とするところは、瓦棒葺屋根の瓦棒の上に、複数の電池モジュール保持部材を瓦棒の長手方向に所定間隔置きに配備し、隣り合う電池モジュール保持部材どうし間で太陽電池モジュールを支持するようにした屋根への太陽電池モジュールの設置構造において、新規な屋根板押え兼用の電池モジュール支持架台を採用し、また該電池モジュール支持架台の吊子への納まり方に工夫を凝らすことにより屋根裏への雨漏りを防止でき、また太陽電池モジュールを安定よく支持することができ、暴風や台風などにも十分に対抗できる屋根への太陽電池モジュールの設置構造を提供することにある。
【課題を解決するための手段】
【０００６】
本発明の屋根への太陽電池モジュールの設置構造は、請求項１に記載のように、その発明の内容を理解しやすくするために図１〜４に示す符号を参照して説明すると、複数の金属製の屋根板(１)を瓦棒（２）を介して連結した瓦棒葺屋根（３）の瓦棒（２）の上に、複数の電池モジュール保持部材（４又は３８）を瓦棒（２）の長手方向に所定間隔置きに配備し、隣り合う電池モジュール保持部材（４，４又は３８，３８）どうし間で太陽電池モジュール（５）を支持するようにした屋根への太陽電池モジュールの設置構造を前提構成とし、そのうえで、更に以下のように構成したことに特徴を有するものである。
【０００７】
すなわち、屋根板(１)には、その左右の各側縁を折り上げて左右の各立上り連結縁(６)を形成し、この立上り連結縁(６)の上端側に被係留部(７)を形成する。そして、瓦棒（２）は、吊子(９)と、屋根板押え兼用の電池モジュール支持架台(１１)とを備える。
吊子(９)は、野地板（１６）および母屋（１７）に第１のビス（１８）で固定されるベース部(１２)と、このベース部（１２）の左右両側縁から立ち上げた形の左右一対の側板（１３）とを有する断面溝形状に形成するとともに、左右の各側板（１３）の中間高さ部の内側に電池モジュール支持架台（１１）を受ける架台受け段部（１５）を形成している。左右の各側板（１３）の上端側には各側板（１３）の上端縁を外側下方へ向けて曲げた形の係留部（１４）を形成する。
電池モジュール支持架台(１１)は、電池モジュール保持部材（４又は３８）を支持する天板(１９)と、この天板(１９)の左右両側縁から下方へ向けて曲げた形の左右一対の各側板(２０)とを備え、天板（１９）の左右方向中央部に断面Ｕ形状の内側凹溝（２１）を天板（１９）の長手方向に亘って形成し、左右の各側板(２０)の下端に屋根板押さえ部（２０ａ）を設ける。
吊子(９)の左右の各横外側部に左右の両屋根板（１）（１）の各立上り連結縁(６)を配置し、各立上り連結縁(６)の被係留部(７)を吊子(９)の左右の各係留部(１４)で上から受け止めるように構成する。
そして、吊子(９)および左右の両立上り連結縁(６)に亘って電池モジュール支持架台(１１)を上から覆い被せるとともに、電池モジュール支持架台（１１）の内側凹溝（２１）の溝底部（２１ａ）を吊子（９）の架台受け段部（１５）上に第２のビス（３６）で締め付け固定して、左右の各側板(２０)の下端に設けた屋根板押さえ部（２０ａ）で屋根板（１）（１）をこれの上方から押圧接当したものである。
【０００８】
上記の構成によると、屋根板押え兼用の電池モジュール支持架台（１１）はこれの天板（１９）の左右方向中央部に断面Ｕ形状の内側凹溝（２１）を有する形の断面形状に形成することで電池モジュール支持架台（１１）自体の剛性を高めることができる。
吊子(９)および左右の両立上り連結縁(６)に亘って電池モジュール支持架台(１１)を上から覆い被せることで左右の両立上り連結縁(６)（６）同士間に雨水が浸入するのを防止でき屋根裏への雨漏りを防止できる。
【０００９】
電池モジュール支持架台（１１）の内側凹溝（２１）の溝底部（２１ａ）は吊子（９）の架台受け段部（１５）上に第２のビス（３６）で締め付け固定することにより、暴風や台風等で電池モジュール支持架台（１１）が屋根板（１）および吊子（９）から外れるのを確実に防止できるため、電池モジュール支持架台（１１）による電池モジュール保持部材（４又は３８）、および太陽電池モジュール（５）を安定よく確実に支持することができる。
【００１０】
また、この電池モジュール支持架台（１１）の内側凹溝（２１）の溝底部（２１ａ）は吊子（９）の架台受け段部（１５）上に第２のビス（３６）で締め付け固定して、電池モジュール支持架台（１１）の左右の各側板(２０)の下端に設けた屋根板押さえ部（２０ａ）で屋根板（１）（１）をこれの上方から強く押さえ付ける。これにより電池モジュール支持架台（１１）を屋根板（１）（１）および吊子（９）に対し安定良く定置固定できる。したがって、電池モジュール支持架台（１１）で電池モジュール保持部材（４又は３８）、および太陽電池モジュール（５）をより安定良く支持することができる。
さらに、電池モジュール支持架台（１１）の左右の各側板(２０)の下端に設けた屋根板押さえ部（２０ａ）で屋根板（１）（１）をこれの上方から強く押圧接当することにより、暴風雨や台風などの風雨が強く吹き付けられるときも風雨が屋根板押さえ部（２０ａ）と屋根板（１）との間から浸入するのを防止できるとともに、強風から生ずる負圧で屋根板（１）（１）が浮き上がるのを確実に防止できる。
かかる構成により、従来、屋根板（１）（１）を止め付けるために必須の部材であった「キャップ」を不要にすることができる（「キャップ」につき、例えば特許文献２・３参照）。すなわち、本発明では、屋根板押え兼用の電池モジュール支持架台（１１）が屋根板（１）（１）を上から強固に押え付けてその離脱を防止しているので、屋根板押え兼用の電池モジュール支持架台（１１）が上記「キャップ」の機能を兼用することになる。このため、従来必要であった「キャップ」を不要にすることができる。
【００１１】
請求項１記載の屋根への太陽電池モジュールの設置構造は、請求項２に記載のように、電池モジュール支持架台(１１)の天板（１９）と電池モジュール保持部材（４又は３８）との重合面間にシール板材（３２）を介在させることができる。これにより、雨水が電池モジュール支持架台(１１)の天板（１９）と電池モジュール保持部材（４又は３８）との重合面間から内側凹溝（２１）内に浸入するのを防止できる。
【００１２】
請求項１又は２記載の屋根への太陽電池モジュールの設置構造は、請求項３に記載のように、電池モジュール保持部材（４又は３８）は電池モジュール支持架台(１１)に対し軒棟方向にスライド自在に取り付けることができる。これにより、太陽電池モジュール（５）を軒棟方向の所望位置に容易に位置決め配置することができる。
【００１３】
請求項１ないし３のいずれか１項に記載の屋根への太陽電池モジュールの設置構造は、請求項４に記載のように、電池モジュール保持部材（４）は、電池モジュール支持架台(１１)に取り付けられる保持部材本体（２２）と、この保持部材本体（２２）に起立状に装着されたボルト（２３）と、このボルト（２３）に挿通され、太陽電池モジュール（５）の周枠（５ａ）の溝部（５ｂ）に嵌合する係止部（３３）を有する電池モジュール押え部材（２４）と、この電池モジュール押え部材（２４）から突出するボルト先端部（２３ａ）に螺合されたナット（２６）と、を備えるという構成を採用することができる。これにより、この電池モジュール保持部材（４）を使用し、電池モジュール押え部材（２４）の係止部（３３）を太陽電池モジュール（５）の周枠（５ａ）の溝部（５ｂ）に嵌合し、ナット（２６）を締め付けるという簡単な操作で、太陽電池モジュール（５）を電池モジュール支持架台(１１)上に容易に且つ確実に保持固定することができる。
【００１４】
請求項１ないし３のいずれか１項に記載の屋根への太陽電池モジュールの設置構造は、請求項５に記載のように、電池モジュール保持部材（３８）は、電池モジュール支持架台(１１)の両側方から該電池モジュール支持架台(１１)を挟み付けられる一対の保持部材本体（４０）（４０）と、この保持部材本体（４０）（４０）どうしを互いに近づけるように締め付けられる横向きボルト（４１）と、この横向きボルト（４１）に起立状に装着された立て向きボルト（４４）と、この立て向きボルト（４４）に挿通され、太陽電池モジュール（５）の周枠（５ａ）の溝部（５ｂ）に嵌合する係止部（３３）を有する電池モジュール押え部材（２４）と、この電池モジュール押え部材（２４）から突出する立て向きボルト先端部（４４ａ）に螺合されるナット（４６）と、を備えるという構成を採用することができる。これにより、この電池モジュール保持部材（３８）を使用し、電池モジュール押え部材（２４）の係止部（３３）を太陽電池モジュール（５）の周枠（５ａ）の溝部（５ｂ）に嵌合し、ナット（４６）を締め付けるという簡単な操作で、太陽電池モジュール（５）を電池モジュール支持架台(１１)上に容易に且つ確実に保持固定することができる。
【発明の効果】
【００１５】
本発明の屋根への太陽電池モジュールの設置構造によれば、屋根板押え兼用の電池モジュール支持架台（１１）は隣り合う屋根板（１）（１）の立上り連結縁(６)（６）同士間への雨水浸入を防止する機能と、屋根板（１）（１）を押さえる機能を兼備するのみならず、電池モジュール保持部材（４）又は(３８)、および太陽電池モジュール（５）を安定よく支持することができ、暴風や台風などにも十分に対抗できるという利点がある。
【図面の簡単な説明】
【００１６】
【図１】本発明の一実施例を示す屋根への太陽電池モジュールの設置構造の縦断正面図である。
【図２】図１におけるＡ−Ａ線断面図である。
【図３】他の実施例の屋根への太陽電池モジュールの設置構造を図１に相応して示す縦断正面図である。
【図４】図３におけるＢ−Ｂ線断面図である。
【図５】（ａ）は従来例の屋根への太陽電池モジュールの設置構造の断面図、（ｂ）は（ａ）の太陽電池モジュールの設置構造を分解して示す分解断面図である。
【発明を実施するための形態】
【００１７】
以下、本発明の屋根への太陽電池モジュールの設置構造の実施形態を、図１〜図４に基き説明する。
【００１８】
図１、図２において、この屋根への太陽電池モジュールの設置構造は、複数の鋼板等金属製の屋根板１を瓦棒２を介して連結した瓦棒葺屋根３の瓦棒２の上に、複数の電池モジュール保持部材４を瓦棒２の長手方向に所定間隔置きに配備し、隣り合う電池モジュール保持部材４，４間で太陽電池モジュール５を支持するようにしたものである。
【００１９】
図１に示すように、屋根板１には、屋根板本体１ａの左右の各側縁を折り上げて左右の各立上り連結縁６を形成する。この立上り連結縁６の上縁を屋根板本体１ａ側へ折り返し、この折り返し上端部で被係留部７を形成する。立上り連結縁６の中間高さ部には遮水凸条８を屋根板本体１ａ側へ膨出させて形成する。
【００２０】
瓦棒２は、吊子９と、屋根板押え兼用の電池モジュール支持架台１１とを備える。
【００２１】
図１、図２に示すように、吊子９はアルミニューム合金を押出成形して得る型材などからなる金属製のものであって、ベース部１２と、このベース部１２の左右両側縁から折り上げて形成した左右一対の側板１３とを有する断面溝形状に形成するとともに、左右の各側板１３の中間高さ部の内側には電池モジュール支持架台１１を受ける架台受け段部１５を形成している。左右の各側板１３の上端側には各側板１３の上端縁を外側下方へ向けて折り下げて係留部１４，１４を形成する。ベース部１２は木毛セメント板等の野地板１６および母屋１７にこの上方から下方に向けて挿入されるセルフドリルビス等の第１のビス１８で固定される。なお、吊子９には、図示例のような短尺の部分吊子、あるいは軒棟方向に長尺の通し吊子が用いられる。
【００２２】
屋根板押え兼用の電池モジュール支持架台１１はアルミニューム合金を押出成形して得る型材などからなる金属製のものであって、天板１９と、この天板１９の左右両側縁から折り下げて形成する左右一対の側板２０と、天板１９の左右方向中央部に天板１９の長手方向に亘って形成する断面Ｕ形状の内側凹溝２１とを有する形に形成している。左右の各側板２０の下端には屋根板押さえ部２０ａを形成している。左右の各側板２０の外側面には側方凹溝２０ｂを側板２０の長手方向に亘って形成している。
【００２３】
図１、図２に示すように、電池モジュール保持部材４は、保持部材本体２２と、この保持部材本体２２に起立状に装着されるボルト２３と、このボルト２３に挿通される電池モジュール押え部材２４と、この電池モジュール押え部材２４から突出するボルト先端部２３ａにワッシャー２５を介して螺合されるナット２６とを備えている。
【００２４】
保持部材本体２２はアルミニューム合金を押出成形して得る型材などからなる金属製のものであって、上下二重構造の天板２７，２８と、この天板２７，２８の左右両側縁から下方へ曲げた形に形成した左右一対の側板２９と、上下二重の天板２７，２８の左右方向中央部に天板２７，２８の長手方向に亘って形成する断面リップ溝形状の凹溝３０とを有する形に形成している。左右の各側板２９の下端にはリップ３１を内向きに形成している。
この保持部材本体２２は、下側の天板２８を電池モジュール支持架台１１の天板１９の上に金属製のシール板材３２を介して重ね合わせるとともに、リップ３１，３１を電池モジュール支持架台１１の左右の各側方凹溝２０ｂ，２０ｂにスライド自在に嵌合させることにより電池モジュール支持架台１１に対し天板１９の長手方向（軒棟方向）にスライド自在に取り付けられる。保持部材本体２２に対しボルト２３は頭部２３ｂを凹溝３０内に配して起立状に装着される。
【００２５】
図２に示すように、電池モジュール押え部材２４は、一対の係止部３３，３３を有する断面π字形状に形成されるとともに、ボルト２３が貫通するボルト通し孔３４を設けている。電池モジュール押え部材２４の一対の係止部３３，３３は隣り合う太陽電池モジュール５の周枠５ａの溝部５ｂに嵌合するようにしてある。
【００２６】
瓦棒葺屋根３の施工に際しては、吊子９の左右の各横外側部に、野地板１６上に防水シート３５を介して敷設する左右の両屋根板１，１の各立上り連結縁６を配置する。各立上り連結縁６の被係留部７を吊子９の左右の各係留部１４で上から受け止める。
【００２７】
そして、吊子９および屋根板１，１の立上り連結縁６，６に亘って屋根板押え兼用の電池モジュール支持架台１１をこれの左右の側板２０，２０が立上り連結縁６，６を覆い、かつ内側凹溝２１部が吊子９内に入るようにその上方から覆い被せるとともに、電池モジュール支持架台１１の内側凹溝２１の溝底部２１ａを吊子９の架台受け段部１５上にセルフドリルビス等の第２のビス３６で締め付け固定する。この締め付けにより、電池モジュール支持架台１１の左右の各側板２０の下端に設けた屋根板押さえ部２０ａが屋根板１，１をこれの上方から押圧して該屋根板１，１の上面に接当することになる。
なお、電池モジュール支持架台１１を吊子９に締め付け固定するに当たっては、電池モジュール支持架台１１の内側凹溝２１の溝底部２１ａと吊子９の架台受け段部１５の上面との間に若干の隙間（例えば１ｍｍ〜２ｍｍ）ができるように両者を配置した上で、第２のビス３６で締め付け固定するようにする。これにより、電池モジュール支持架台１１を吊子９に強固に固定できるとともに、電池モジュール支持架台１１の屋根板押さえ部２０ａを両側に若干拡げるように弾性変形させつつ屋根板１，１を上方から強固に押圧固定することができるので、屋根板１，１の離脱を確実に防止することができる。
【００２８】
次に、屋根板押え兼用の電池モジュール支持架台１１の天板１９の上に電池モジュール保持部材４の下側の天板２８をシール板材３２を介して重ね合わせるとともに、リップ３１，３１を電池モジュール支持架台１１の左右の各側方凹溝２０ｂ，２０ｂにスライド自在に嵌合させることにより電池モジュール押え部材２４を電池モジュール支持架台１１に対し天板１９の長手方向（軒棟方向）にスライド自在に取り付ける。電池モジュール支持架台１１の天板１９の上に隣り合う太陽電池モジュール５の周枠５ａをそれぞれ載置し、ボルト２３に挿通される電池モジュール押え部材２４の係止部３３，３３を隣り合う太陽電池モジュール５の周枠５ａの溝部５ｂに嵌合係止する。かくして、ナット２６をボルト２３にワッシャー２５を介して締め付けると、電池モジュール押え部材２４を電池モジュール保持部材４に容易に且つ確実に取り付けることができる。
その際、電池モジュール保持部材４は電池モジュール支持架台１１に対し軒棟方向にスライド自在に取り付けることにより、太陽電池モジュール５を軒棟方向の所望位置に容易に位置決め配置することができる。
【００２９】
上記のように、屋根板押え兼用の電池モジュール支持架台１１をその天板１９に内側凹溝２１を有する断面形状に形成してあるので、電池モジュール支持架台１１それ自体の剛性（断面二次モーメント）を高めることができる。
そのように剛性の高い屋根板押え兼用の電池モジュール支持架台１１はこれの内側凹溝２１の溝底部２１ａを吊子９の架台受け段部１５に第２のビス３６で締め付け固定することにより、暴風や台風等で屋根板押え兼用の電池モジュール支持架台１１が屋根板１および吊子９から外れるのを確実に防止できるため、屋根板押え兼用の電池モジュール支持架台１１による電池モジュール保持部材４および太陽電池モジュール５の支持機能を十分に果たすことができる。
【００３０】
また、屋根板押え兼用の電池モジュール支持架台１１の内側凹溝２１の溝底部２１ａは吊子９の架台受け段部１５に第２のビス３６で締め付け固定することにより、屋根板押え兼用の電池モジュール支持架台１１の左右の各側板２０の下端に設けた屋根板押さえ部２０ａで屋根板１，１をこれの上方から強く押さえ付けることができる。これにより屋根板押え兼用の電池モジュール支持架台１１を屋根板１，１および吊子９に対し安定良く定置固定でき、この電池モジュール支持架台１１により電池モジュール保持部材４および太陽電池モジュール５をより一層安定良く確実に支持することができる。
さらに、屋根板押え兼用の電池モジュール支持架台１１の左右の各側板２０の下端に設けた屋根板押さえ部２０ａが屋根板１，１をこれの上方から強く押圧接当することにより、暴風雨や台風などの風雨が強く吹き付けられるときも風雨が屋根板押さえ部２０ａと屋根板１との間から浸入するのを防止できるとともに、強風から生ずる負圧で屋根板１が浮き上がるのを確実に防止できる。
かかる構成により、従来、屋根板１，１を止め付けるために必須の部材であった「キャップ」を不要にすることができる。すなわち、本発明では、屋根板押え兼用の電池モジュール支持架台１１が屋根板１，１を上から強固に押え付けてその離脱を防止しているので、屋根板押え兼用の電池モジュール支持架台１１が「キャップ」の機能を兼用することになる。このため、従来必要であった「キャップ」を不要にすることができる。
【００３１】
電池モジュール支持架台１１の天板１９の上に電池モジュール保持部材４の下側の天板２８をシール板材３２を介して重ね合わせるので、電池モジュール支持架台１１の天板１９と電池モジュール保持部材４との重合面間から雨水が電池モジュール支持架台１１の内側凹溝２１の溝底部２１ａとこれに挿通される第２のビス３６との間の隙間へ浸入するのを防止できて屋根裏への雨漏れを防止できる。
【００３２】
電池モジュール保持部材４は、電池モジュール支持架台１１に取り付けられる保持部材本体２２と、この保持部材本体２２に起立状に装着されたボルト２３と、このボルト２３に挿通され、太陽電池モジュール５の周枠５ａの溝部５ｂに嵌合する係止部３３を有する電池モジュール押え部材２４と、この電池モジュール押え部材２４から突出するボルト先端部２３ａに螺合されたナット２６とを備えているので、太陽電池モジュール５を電池モジュール支持架台１１上に容易に保持固定することができる。
【００３３】
因みに、屋根板押え兼用の電池モジュール支持架台１１の側板２０と屋根板１と立上り連結縁６とで取り囲まれた内部に、広い緩衝空間３７（図１参照）を形成することができる。これにより屋根板１上の雨水の一部が、たとえ、屋根板押え兼用の電池モジュール支持架台１１の側板２０の下端の屋根板押さえ部２０ａと屋根板１との間から浸入しても、この浸入雨水は側板２０内の広い緩衝空間３７で失速・落下するため、風雨の強いときでも、雨水が屋根板１，１同士間の連結部から屋根裏へ漏れるのを防止できる。
【００３４】
立上り連結縁６の中間高さ部に遮水凸条８を屋根板本体１ａ側へ膨出させて形成することにより、緩衝空間３７内で失速し、勢いの弱まった浸入水は、立上り連結縁６の遮水凸条８により下方へ跳ね返されるため、緩衝空間３７内を上向きに通過することが殆ど無くなり、屋根板１，１同士間の連結部からの雨漏り防止に貢献する。
【００３５】
図３、図４は、他の実施例を示すものであって、この実施例の電池モジュール保持部材３８の構成が上記実施例の電池モジュール保持部材４の構成と異なり、その他の構成、例えば吊子９や電池モジュール支持架台１１、電池モジュール押え部材２４等の各構成、瓦棒葺屋根３の施工要領（［００２５］，［００２６］）などについては上記実施例のものと同様であるため、同一部材に同一符号を付してその説明を省略し、以下、電池モジュール保持部材３８の構成、機能についてのみ説明する。
【００３６】
この実施例の電池モジュール保持部材３８は、断面コの字形部３９と、このコの字形部３９の上辺部３９ａから起立した起立部３９ｂとを有する断面鉤形状に形成された一対の保持部材本体４０，４０と、この一対の保持部材本体４０，４０の起立部３９ｂ、３９ｂ同士に通される頭部４１ｂ付きの横向きボルト４１と、一方の保持部材本体４０の起立部３９ｂから側方へ突出する横向きボルト先端部４１ａにワッシャー４２を介して螺合されるナット４３と、環状頭部４４ｂを有し、この環状頭部４４ｂを横向きボルト４１の中間部に挿通されて横向きボルト４１に起立状に結合される立て向きボルト４４と、この立て向きボルト４４に挿通される上記実施例の電池モジュール押え部材２４と同じ電池モジュール押え部材２４と、この電池モジュール押え部材２４から上方へ突出する立て向きボルト先端部４４ａにワッシャー４５を介して螺合されるナット４６と、を備える。
【００３７】
一対の保持部材本体４０，４０は屋根板押え兼用の電池モジュール支持架台１１の天板１９の上に各コの字形部３９の上辺部３９ａを金属製のシール板材３２を介して重ね合わせるとともに、各コの字形部３９の下辺部であるリップ３９ｃを電池モジュール支持架台１１の側方凹溝２０ｂ，２０ｂにスライド自在に嵌合させることにより電池モジュール支持架台１１の両側方から該電池モジュール支持架台１１を挟み付けられ、横向きボルト４１の先端部４１ａにワッシャー４２を介してナット４３を締め付けることにより一対の保持部材本体４０，４０を互いに近づけて電池モジュール支持架台１１に挟み付け固定される。
【００３８】
かくして、電池モジュール支持架台１１の天板１９の上に隣り合う太陽電池モジュール５の周枠５ａをそれぞれ載置し、立て向きボルト４４に挿通される電池モジュール押え部材２４の係止部３３，３３を隣り合う太陽電池モジュール５の周枠５ａの溝部５ｂに嵌合係止すること、およびナット４６を立て向きボルト４４にワッシャー４５を介して締め付けることで電池モジュール押え部材２４を電池モジュール保持部材３８に容易に取り付けることができることは、上記実施例の場合と同様である。
【００３９】
この実施例の電池モジュール保持部材３８を使用することによっても、上記実施例の場合と同様に、太陽電池モジュール５を電池モジュール支持架台１１上に容易に且つ確実に保持固定することができる。
【符号の説明】
【００４０】
１          屋根板
２          瓦棒
３          瓦棒屋根
４，３８    電池モジュール保持部材
５          太陽電池モジュール
６          立上り連結縁
７          被係留部
９          吊子
１１        屋根板押え兼用の電池モジュール支持架台
１２        ベース部
１３        側板
１４        係留部
１５        架台受け段部
１６        野地板
１７        母屋
１８        第１のビス
１９        天板
２０        側板
２０ａ      屋根板押さえ部
２０ｂ      側方凹溝
２１        内側凹溝
２１ａ      溝底部
２２        電池モジュール保持部材４の保持部材本体
２３        ボルト
２４        電池モジュール押え部材
２６        ナット
３２        シール板材
３６        第２のビス
４０        電池モジュール保持部材３８の保持部材本体
４１        横向きボルト
４４        立て向きボルト
４６        ナット
【図１】
2012102545.tif 000003
【図２】
2012102545.tif 000004
【図３】
2012102545.tif 000005
【図４】
2012102545.tif 000006
【図５】
2012102545.tif 000007